(57)【要約】  従来とは異なる新たな決済システムなどを提供する。  請求を特定する請求番号と金額を示す金額情報と請求者を特定する請求者ＩＤとを含む請求情報を生成する請求装置と、前記請求装置で生成された請求情報を取得し、該取得した請求情報と被請求者を特定する被請求者ＩＤとを送信する被請求装置と、前記被請求装置から送信された請求情報と被請求者ＩＤとを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する決済装置と、を備えた決済システムである。
2013057812.tif 000002
【特許請求の範囲】
【請求項１】
請求を特定する請求番号と金額を示す金額情報と請求者を特定する請求者ＩＤとを含む請求情報を生成する請求装置と、
前記請求装置で生成された請求情報を取得し、該取得した請求情報と被請求者を特定する被請求者ＩＤとを送信する被請求装置と、
前記被請求装置から送信された請求情報と被請求者ＩＤとを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する決済装置と、
を備えたことを特徴とする決済システム。
【請求項２】
前記被請求装置は、前記請求情報を取得する際に前記請求装置との間で近距離無線通信を行う、ことを特徴とする請求項１に記載の決済システム。
【請求項３】
前記決済装置は、前記請求情報と被請求者ＩＤとを決済装置選択代行装置を介して受信する、ことを特徴とする請求項１または請求項２に記載の決済システム。
【請求項４】
前記決済装置は、前記請求番号を前記被請求装置を介して前記請求装置へ送信する、ことを特徴とする請求項１〜請求項３のいずれか１項に記載の決済システム。
【請求項５】
請求を特定する請求番号と金額を示す金額情報と請求者を特定する請求者ＩＤとを含む請求情報及び被請求者ＩＤを該請求情報を取得した被請求装置から受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を送信する決済装置にネットワークを介して接続され、
前記請求情報を生成し、
前記請求番号を前記決済装置から受信する、
ことを特徴とする請求装置。
【請求項６】
前記被請求装置が前記請求情報を取得する際に前記被請求装置との間で近距離無線通信を行う、ことを特徴とする請求項５に記載の請求装置。
【請求項７】
前記請求番号を前記決済装置から前記被請求装置を介して受信する、ことを特徴とする請求項５または請求項６に記載の請求装置。
【請求項８】
請求を特定する請求番号と金額を示す金額情報と請求者を特定する請求者ＩＤとを含む請求装置で生成された請求情報及び被請求者を特定する被請求者ＩＤを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する決済装置にネットワークを介して接続され、
前記請求情報を取得し、
前記取得した請求情報と前記被請求者ＩＤとを前記決済装置へ送信する、
ことを特徴とする被請求装置。
【請求項９】
前記請求情報を取得する際に前記請求装置との間で近距離無線通信を行う、ことを特徴とする請求項８に記載の被請求装置。
【請求項１０】
前記取得した請求情報と前記被請求者ＩＤとを決済装置選択代行装置を介して前記決済装置へ送信する、ことを特徴とする請求項８または請求項９に記載の被請求装置。
【請求項１１】
前記決済装置から前記請求番号を受信し前記請求装置へ送信する、ことを特徴とする請求項８〜請求項１０のいずれか１項に記載の被請求装置。
【請求項１２】
請求を特定する請求番号と金額を示す金額情報と請求者を特定する請求者ＩＤとを含む請求情報を生成する請求装置と、
前記請求装置で生成された請求情報を取得し、該取得した請求情報と被請求者を特定する被請求者ＩＤとを送信する被請求装置と、
にネットワークを介して接続され、
前記被請求装置から送信された請求情報と被請求者ＩＤとを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する、
ことを特徴とする決済装置。
【請求項１３】
前記請求情報と被請求者ＩＤとを決済装置選択代行装置を介して受信する、ことを特徴とする請求項１２に記載の決済装置。
【請求項１４】
前記請求番号を前記被請求装置を介して前記請求装置へ送信する、ことを特徴とする請求項１２または請求項１３に記載の決済装置。
【請求項１５】
被請求者装置と複数の決済装置とにネットワークを介して接続され、
前記被請求者装置から、請求を特定する請求番号と金額を示す金額情報と請求者を特定する請求者ＩＤとを含む請求装置で生成された請求情報及び被請求者を特定する被請求者ＩＤを受信し、
前記受信した請求情報に応じて前記複数の決済装置の中から決済装置を選択し、
前記選択した決済装置へ、前記受信した請求情報と前記被請求者ＩＤとを送信する、
ことを特徴とする決済装置選択代行装置。
【発明の詳細な説明】
【技術分野】
【０００１】
本発明は、決済に関する。
【背景技術】
【０００２】
従来、携帯電話端末は精算された運賃を受信し、この運賃と自身の識別番号と決済方法を携帯電話部を経由して決済装置へ送信することにより、決済装置が送信されたデータに応じて運賃の決済処理を行なうことを特徴とする携帯電話利用運賃決済システムが提案された（特許文献１参照）。
【先行技術文献】
【特許文献】
【０００３】
【特許文献１】特開２０００−２０７６７号公報
【発明の概要】
【発明が解決しようとする課題】
【０００４】
しかしながら、上記従来の決済システムでは、サービスの利用履歴や商品の購買履歴などが鉄道事業者等のサービス提供者や商品販売者などに対して筒抜けとなり、利用者がサービスの利用履歴や商品の購買履歴などをサービス提供者や商品販売者などに対して秘密にしておくことができないという問題があった。【０００５】
そこで、本発明は、従来とは異なる新たな決済システム、請求装置、被請求装置、決済装置、及び決済装置選択代行装置を提供することを目的とする。
【課題を解決するための手段】
【０００６】
本発明によれば、上記課題は、次の手段により解決される。【０００７】
本発明は、請求を特定する請求番号と金額を示す金額情報と請求者を特定する請求者ＩＤとを含む請求情報を生成する請求装置と、前記請求装置で生成された請求情報を取得し、該取得した請求情報と被請求者を特定する被請求者ＩＤとを送信する被請求装置と、前記被請求装置から送信された請求情報と被請求者ＩＤとを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する決済装置と、を備えたことを特徴とする決済システムである。【０００８】
また、本発明は、前記被請求装置は、前記請求情報を取得する際に前記請求装置との間で近距離無線通信を行う、ことを特徴とする上記の決済システムである。【０００９】
また、本発明は、前記決済装置は、前記請求情報と被請求者ＩＤとを決済装置選択代行装置を介して受信する、ことを特徴とする上記の決済システムである。【００１０】
また、本発明は、前記決済装置は、前記請求番号を前記被請求装置を介して前記請求装置へ送信する、ことを特徴とする上記の決済システムである。【００１１】
また、本発明は、請求を特定する請求番号と金額を示す金額情報と請求者を特定する請求者ＩＤとを含む請求情報及び被請求者ＩＤを該請求情報を取得した被請求装置から受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を送信する決済装置にネットワークを介して接続され、前記請求情報を生成し、前記請求番号を前記決済装置から受信する、ことを特徴とする請求装置である。【００１２】
また、本発明は、前記被請求装置が前記請求情報を取得する際に前記被請求装置との間で近距離無線通信を行う、ことを特徴とする上記の請求装置である。【００１３】
また、本発明は、前記請求番号を前記決済装置から前記被請求装置を介して受信する、ことを特徴とする上記の請求装置である。【００１４】
また、本発明は、請求を特定する請求番号と金額を示す金額情報と請求者を特定する請求者ＩＤとを含む請求装置で生成された請求情報及び被請求者を特定する被請求者ＩＤを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する決済装置にネットワークを介して接続され、前記請求情報を取得し、前記取得した請求情報と前記被請求者ＩＤとを前記決済装置へ送信する、ことを特徴とする被請求装置である。【００１５】
また、本発明は、前記請求情報を取得する際に前記請求装置との間で近距離無線通信を行う、ことを特徴とする上記の被請求装置である。【００１６】
また、本発明は、前記取得した請求情報と前記被請求者ＩＤとを決済装置選択代行装置を介して前記決済装置へ送信する、ことを特徴とする上記の被請求装置である。【００１７】
また、本発明は、前記決済装置から前記請求番号を受信し前記請求装置へ送信する、ことを特徴とする上記の被請求装置である。【００１８】
また、本発明は、請求を特定する請求番号と金額を示す金額情報と請求者を特定する請求者ＩＤとを含む請求情報を生成する請求装置と、前記請求装置で生成された請求情報を取得し、該取得した請求情報と被請求者を特定する被請求者ＩＤとを送信する被請求装置と、にネットワークを介して接続され、前記被請求装置から送信された請求情報と被請求者ＩＤとを受信し、前記請求情報に含まれる請求者ＩＤと前記被請求者ＩＤとに基づいて、該被請求者ＩＤにより特定される被請求者の口座から該請求者ＩＤにより特定される請求者の口座へ前記請求情報に含まれる金額情報に基づいた決済を行うための処理を実行し、前記請求情報に含まれる請求番号を前記請求装置へ送信する、ことを特徴とする決済装置である。【００１９】
また、本発明は、前記請求情報と被請求者ＩＤとを決済装置選択代行装置を介して受信する、ことを特徴とする上記の決済装置である。【００２０】
また、本発明は、前記請求番号を前記被請求装置を介して前記請求装置へ送信する、ことを特徴とする上記の決済装置である。【００２１】
また、本発明は、被請求者装置と複数の決済装置とにネットワークを介して接続され、
前記被請求者装置から、請求を特定する請求番号と金額を示す金額情報と請求者を特定する請求者ＩＤとを含む請求装置で生成された請求情報及び被請求者を特定する被請求者ＩＤを受信し、前記受信した請求情報に応じて前記複数の決済装置の中から決済装置を選択し、前記選択した決済装置へ、前記受信した請求情報と前記被請求者ＩＤとを送信する、ことを特徴とする決済装置選択代行装置である。
【発明の効果】
【００２２】
本発明によれば、従来とは異なる新たな決済システム、請求装置、被請求装置、決済装置、及び決済装置選択代行装置を提供することができる。
【図面の簡単な説明】
【００２３】
【図１】本発明の実施形態に係る決済システムの概略構成を示す図である。
【図２】本発明の実施形態に係る決済システムの動作例を説明する図である。
【発明を実施するための形態】
【００２４】
以下に、添付した図面を参照しつつ、本発明を実施するための形態について説明する。
【００２５】
［決済システムの概略構成］
図１は、本発明の実施形態に係る決済システムの概略構成を示す図である。
【００２６】
図１に示すように、本発明の実施形態に係る決済システムは、請求装置１と、被請求装置２と、決済装置３と、を備えたコンピュータシステムである。本発明の実施形態に係る決済システムでは、請求装置１から被請求装置２へ請求がなされ、この請求に応じた決済が被請求装置２から決済装置３へ指示され、この指示に基づいた決済処理が決済装置３により実行され、決済の完了が決済装置３から請求装置１へ通知される。なお、被請求装置２は、無線基地局５を介してネットワーク４に接続される。
【００２７】
（請求装置１）
請求装置１は、請求情報を生成する装置である。請求装置１は、例えば、携帯電話やスマートフォンなどの携帯端末やパーソナルコンピュータやＰＯＳ（Ｐｏｉｎｔ  ｏｆ  ｓａｌｅ）装置などの固定端末などにより構成される。請求装置１は、飲食店やスーパーマーケットなどに固定されてもよいし、個人によって携帯されてもよい。
【００２８】
請求情報には、請求を特定する請求番号と、金額を示す金額情報と、請求者を特定する請求者ＩＤと、が含まれる。なお、レストランでの飲食代金やスーパーマーケットでの商品購入代金などは金額情報により示される金額の一例であり、これらの代金の請求は請求番号により特定される請求の一例であり、レストランやスーパーマーケットは請求者ＩＤにより特定される請求者の一例である。
【００２９】
（被請求装置２）
被請求装置２は、請求装置１で生成された請求情報を取得し、該取得した請求情報と被請求者を特定する被請求者ＩＤとを決済装置３へ送信する装置である。被請求装置２は、例えば、携帯電話やスマートフォンなどの携帯端末により構成される。なお、上述した一例を用いて説明すると、レストランでの飲食者やスーパーマーケットの買い物客は、被請求者ＩＤにより特定される被請求者の一例である。
【００３０】
（決済装置３）
決済装置３は、被請求装置２から送信された請求情報と被請求者ＩＤとを受信し、請求情報に含まれる請求者ＩＤと被請求者ＩＤとに基づいて、該被請求者ＩＤにより特定される被請求者の口座から該請求者ＩＤにより特定される請求者の口座へ請求情報に含まれる金額情報に基づいた決済を行うための処理を実行し、請求情報に含まれる請求番号を請求装置１へ送信する装置である。決済装置３は、例えば、サーバコンピュータにより構成される。
【００３１】
なお、「口座」とは、決済に用いることができる数値（現金、電子マネー、ポイントなど）を特定することができるアカウントであり、例えば、銀行に開設された口座やクレジットカード会社に開設された口座などを一例として挙げることができる。
【００３２】
また、「決済を行うための処理」としては、例えば、即時に決済を行うための処理や、事後的に決済を行うための処理や、所定の日時に決済を行うための処理などを一例として挙げることができる。また、円建ての請求をドル建ての口座で決済したりドル建ての請求を円建ての口座で決済したりする処理なども、「決済を行うための処理」の一例として挙げることができる。
【００３３】
（ネットワーク４）
ネットワーク４は、少なくとも請求装置１と被請求装置２とを接続し、例えばインターネットなどにより構成される。なお、請求装置１と被請求装置２は、特に電気通信可能に構成される必要はないが、近距離無線通信（ＮＦＣ：Ｎｅａｒ  Ｆｉｅｌｄ  Ｃｏｍｍｕｎｉｃａｔｉｏｎ）やインターネットなどにより電気通信可能に構成することもできる。
【００３４】
被請求装置２が請求装置１で生成された請求情報を取得する際に請求装置１との間で近距離無線通信（ＮＦＣ：Ｎｅａｒ  Ｆｉｅｌｄ  Ｃｏｍｍｕｎｉｃａｔｉｏｎ）を行う場合には、請求装置１から被請求装置２に対してなされる請求が、特定の被請求装置２により取得され、不特定の被請求装置に対して取得されることがなくなる。
【００３５】
なお、近距離無線通信（ＮＦＣ：Ｎｅａｒ  Ｆｉｅｌｄ  Ｃｏｍｍｕｎｉｃａｔｉｏｎ）は、トリガーとして利用してもよく、被請求装置２は、請求装置１との間における近距離無線通信（ＮＦＣ：Ｎｅａｒ  Ｆｉｅｌｄ  Ｃｏｍｍｕｎｉｃａｔｉｏｎ）により請求情報を取得する処理を開始し、その後、インターネットなどのネットワークを介して請求装置１から請求情報を取得してもよい。
【００３６】
［決済システムの動作例］
図２は、本発明の実施形態に係る決済システムの動作例を説明する図である。以下、図２を参照しつつ、本発明の実施形態に係る決済システムの動作例を説明する。
【００３７】
（ステップＳ１）
まず、請求装置１が、請求を特定する請求番号と金額を示す金額情報と請求者を特定する請求者ＩＤとを含む請求情報を生成し、被請求装置２が、請求装置１で生成された請求情報を取得する。これにより、請求装置１から被請求装置２へ請求がなされる。
【００３８】
なお、請求装置１は、例えば、請求装置１の液晶画面での表示や、請求装置１から排出される紙への印字や、近距離無線通信（ＮＦＣ：Ｎｅａｒ  Ｆｉｅｌｄ  Ｃｏｍｍｕｎｉｃａｔｉｏｎ）などにより、生成した請求情報を出力することができ、被請求装置２は、例えば、ボタン操作や、カメラで撮影した画像にＯＣＲ（Ｏｐｔｉｃａｌ  Ｃｈａｒａｃｔｅｒ  Ｒｅａｄｅｒ）をかけたり、カメラで撮影した画像を所定の方式に従って解読したり、近距離無線通信（ＮＦＣ：Ｎｅａｒ  Ｆｉｅｌｄ  Ｃｏｍｍｕｎｉｃａｔｉｏｎ）を行ったりなどして、請求装置１で生成された請求情報を取得することができる。このようにすれば、決済が行われている場（請求装置１の周辺など）にいる人しか請求情報を入手できなくなる。
【００３９】
（ステップＳ２）
次に、被請求装置２が、取得した請求情報と被請求者を特定する被請求者ＩＤとを決済装置３へ送信し、決済装置３が、被請求装置２から送信された請求情報と被請求者ＩＤとを受信する。これにより、請求装置１からの請求に応じた決済が被請求装置２から決済装置３へ指示される。
【００４０】
（ステップＳ３）
次に、決済装置３が、請求情報に含まれる請求者ＩＤと被請求者ＩＤとに基づいて、該被請求者ＩＤにより特定される被請求者の口座から該請求者ＩＤにより特定される請求者の口座へ請求情報に含まれる金額情報に基づいた決済を行うための処理を実行し、請求情報に含まれる請求番号を請求装置１へ送信する。これにより、被請求装置２からの指示に基づいた決済処理を決済装置３が実行し、決済の完了が決済装置３から請求装置１へ通知される。
【００４１】
なお、決済装置３が請求番号を請求装置１へ送信するネットワーク４上の経路は、特に限定されるものではないが、この経路の一例としては、例えば、被請求装置２を介する経路を挙げることができる。
【００４２】
この場合は、決済装置３が被請求装置２を介して請求装置１へ請求番号を送信する。すなわち、被請求装置２が決済装置３から請求番号を受信してこれを請求装置１へ送信し、請求装置１が被請求装置２を介して決済装置３から請求番号を受信する。
【００４３】
このようにすれば、たとえ請求装置１がネットワーク４に接続されていない場合であっても、決済の完了を決済装置３から請求装置１へ通知することができる。
【００４４】
なお、本発明の実施形態においては、請求装置１が決済装置３から請求番号を受信した後に請求番号により特定される請求に対応した領収情報を生成し、被請求装置２が生成された領収情報をボタン操作やカメラによる撮影や近距離無線通信（ＮＦＣ：Ｎｅａｒ  Ｆｉｅｌｄ  Ｃｏｍｍｕｎｉｃａｔｉｏｎ）などにより請求装置１から取得することもできる。このようにすれば、請求装置１から被請求装置２に金額（飲食代金や商品購入代金など）の領収を通知することができる。
【００４５】
また、本発明の実施形態においては、決済装置３が、定期的に（例えば、毎月末に）、被請求装置２からの指示に基づき実行した決済処理の情報を被請求装置２に対して送信するように構成することもできる。このようにすれば、被請求装置２の利用者である被請求者は、決済処理の情報を定期的に確認することができる。
【００４６】
また、本発明の実施形態においては、請求装置１、被請求装置２、及び決済装置３や、これらの装置の間で送受信されるデータなどを、認証局を用いて認証することができる。このようにすれば、例えば、偽の請求装置により生成された架空の請求情報が決済装置３により誤って決済されてしまうことを防止することができる。
【００４７】
さらに、本発明の実施形態においては、決済装置が１台である場合について説明したが、決済装置は複数台設置することもできる。この場合は、例えば、被請求装置２により、どの決済装置で決済処理を実行するのかを選択処理することもできる。
【００４８】
また、例えば、本発明の実施形態に係る決済システムに決済装置選択代行装置（図示せず）を設けることもできる。
【００４９】
この場合、被請求装置２は、取得した請求情報と被請求者ＩＤとを決済装置選択代行装置（図示せず）を介して決済装置３へ送信する。
【００５０】
決済装置選択代行装置（図示せず）は、被請求者装置と複数の決済装置とにネットワークを介して接続されており、被請求者装置２から、請求を特定する請求番号と金額を示す金額情報と請求者を特定する請求者ＩＤとを含む請求装置１で生成された請求情報及び被請求者を特定する被請求者ＩＤを受信し、受信した請求情報に含まれる金額情報や決済内容（飲食に関する決済であるのか、日常品に関する決済であるのか、ブランド品に関する決済であるのか、など）などに応じて、複数の決済装置の中から適切な決済装置を選択し、選択した決済装置へ、受信した請求情報と被請求者ＩＤとを送信する。
【００５１】
選択された決済装置は、被請求装置２から送信された請求情報と被請求者ＩＤとを決済装置選択代行装置を介して受信する。
【００５２】
このようにすれば、被請求装置２の利用者である被請求者は、自己の資産の管理を決済装置選択代行装置に任せることができ、また、どの決済装置によって決済処理を行ったかの記録を帳簿代わりに用いることができる。
【００５３】
以上説明した本発明の実施形態によれば、本発明の実施形態によれば、従来とは異なる新たな決済システムを提供することができる。
【００５４】
また、本発明の実施形態によれば、請求装置１から被請求装置２へ請求がなされ、この請求に応じた決済が被請求装置２から決済装置３へ指示され、この指示に基づいた決済処理が決済装置３により実行され、決済の完了が決済装置３から請求装置１へ通知される。
【００５５】
よって、本発明の実施形態によれば、現金で決済する場合と同様に、サービス提供者や商品販売者などに対してサービスの利用履歴や商品の購買履歴などを秘密にしておくことができる。
【実施例１】
【００５６】
次に、本発明の実施例１として、スーパーマーケットに設置されたレジで買い物客が商品の決済を行う場合に本発明の実施形態に係る決済システムを用いる一例について説明する。【００５７】
本発明の実施例１では、スーパーマーケットに設置されたレジから買い物客の携帯電話へ請求がなされ、この請求に応じた決済が買い物客の携帯電話から決済装置へ指示され、この指示に基づいた決済処理が決済装置により実行され、決済の完了が決済装置からスーパーマーケットに設置されたレジへ通知される。【００５８】
したがって、本発明の実施例１によれば、買い物客は、決済に際して、自己の個人情報を何らスーパーマーケットへ提供することがなく、また、決済を行った商品を自己が購入したという情報をスーパーマーケットに残すことがないため、現金で決済する場合と同様に、スーパーマーケットに対して商品の購買履歴を秘密にしておくことができる。【００５９】
［比較例１］
次に、比較例１として、スーパーマーケットに設置されたレジで買い物客が商品の決済を行う場合にクレジットカードによる従来の決済システムを用いる一例について説明する。【００６０】
比較例１では、買い物客のクレジットカード機能付き携帯電話から買い物客の個人情報がスーパーマーケットに設置されたレジへ提供され、スーパーマーケットに設置されたレジからクレジットカード会社の決済装置へ買い物客の信用照会がなされ、信用がある場合には、スーパーマーケットに設置されたレジからの依頼に基づく決済処理がクレジットカード会社の決済装置により実行され、決済の完了が決済装置からスーパーマーケットに設置されたレジへ通知される。【００６１】
したがって、比較例１によれば、買い物客は、決済に際して、自己の個人情報を必ずスーパーマーケットへ提供する必要があり、また、決済を行った商品を自己が購入したという情報をスーパーマーケットに残してしまうため、現金で決済するかの如く決済することができず、スーパーマーケットに対して商品の購買履歴を秘密にしておくことができない。【００６２】
以上、本発明の実施形態及び実施例について説明したが、これらの説明は、本発明の一例に関するものであり、本発明は、これらの説明によって何ら限定されるものではない。
【符号の説明】
【００６３】
１    請求装置
２    被請求装置
３    決済装置
４    ネットワーク
５    無線基地局
【図１】
2013057812.tif 000003
【図２】
2013057812.tif 000004
【国際調査報告】
2013057812.tif 000005
2013057812.tif 000006